(57)【要約】【課題】接着剤塗布機のノズルと干渉せずに換気装置とフレーム材との隙間を塞ぐことができる建具を提供すること。【解決手段】建具は、上框３１と、上框３１の各端部にそれぞれ溶着される縦框３３と、縦框３３に溶着される下框とを有する障子枠３０と、上框３１に取り付けられる換気装置５０と、換気装置５０および縦框３３、下框に保持される複層ガラスと、縦框３３と換気装置５０との隙間を塞ぐ軟質ヒレ部１０５とを備える。縦框３３と換気装置５０は、見込片部３１６、６３０と、保持片部３１４、６２４と、押縁が取り付けられる凹溝部３１５、６２５、１０８とを備える。複層ガラスは、保持片部３１４、６２４の面材保持面３１９、６２９と押縁との間に保持される。端部キャップ１００の軟質ヒレ部１０５は、縦框３３の面材保持面３１９と、換気装置５０とに跨がって配置される。【選択図】図９
2020076296.tif 000002
【特許請求の範囲】
【請求項１】
第１フレーム材と、前記第１フレーム材の各端部にそれぞれ溶着される第２フレーム材および第３フレーム材と、前記第２フレーム材および前記第３フレーム材に溶着される第４フレーム材とを有する建具枠と、
前記第１フレーム材に取り付けられる換気装置と、
前記第２フレーム材、前記第３フレーム材、前記第４フレーム材および前記換気装置に保持される面材と、
前記第２フレーム材および前記第３フレーム材と前記換気装置との隙間を塞ぐカバー材と、を備え、
前記第２フレーム材および前記第３フレーム材と前記換気装置とは、前記建具枠の見込み方向に沿って設けられた見込片部と、前記見込片部から見付け方向に突出して形成されて面材保持面を有する保持片部と、前記見込片部に連続して形成されて前記面材保持面との間に前記面材を保持する押縁が取り付けられる凹溝部とを備え、
前記カバー材は、前記第２フレーム材および前記第３フレーム材の前記面材保持面と、前記換気装置とに跨がって配置される
ことを特徴とする建具。
【請求項２】
請求項１に記載の建具において、
前記換気装置は、長手方向の両端部にそれぞれ取り付けられる端部キャップを備え、
前記端部キャップは、キャップ本体部と、前記キャップ本体部に一体に形成された軟質ヒレ部とを備え、
前記カバー材は前記軟質ヒレ部で構成される
ことを特徴とする建具。
【請求項３】
請求項１に記載の建具において、
前記換気装置は、長手方向の両端部にそれぞれ取り付けられる端部キャップを備え、
前記カバー材は、前記第２フレーム材および前記第３フレーム材の前記面材保持面と、前記端部キャップとに跨がって取り付けられるシート材で構成される
ことを特徴とする建具。
【請求項４】
請求項１から請求項３のいずれか一項に記載の建具において、
前記第２フレーム材および前記第３フレーム材の前記面材保持面と、前記換気装置の前記面材保持面には、前記建具枠の内周面に沿って形成される突条部が形成され、
前記第２フレーム材および前記第３フレーム材の前記突条部には切欠部が形成され、
前記カバー材は前記切欠部に配置される
ことを特徴とする建具。
【請求項５】
請求項１から請求項４のいずれか一項に記載の建具において、
前記第２フレーム材および前記第３フレーム材の前記凹溝部と、前記換気装置とに跨がって配置される第２カバー材を備える
ことを特徴とする建具。
【請求項６】
第１フレーム材と、前記第１フレーム材の各端部にそれぞれ溶着される第２フレーム材および第３フレーム材と、前記第２フレーム材および前記第３フレーム材に溶着される第４フレーム材とを有する建具枠と、
前記第１フレーム材に取り付けられる換気装置と、
前記第２フレーム材、前記第３フレーム材、前記第４フレーム材および前記換気装置に保持される面材と、
前記第２フレーム材および前記第３フレーム材と前記換気装置との隙間を塞ぐカバー材と、を備え、
前記第２フレーム材および前記第３フレーム材と前記換気装置とは、前記建具枠の見込み方向に沿って設けられた見込片部と、前記見込片部から見付け方向に突出して形成されて面材保持面を有する保持片部と、前記見込片部に連続して形成されて前記面材保持面との間に前記面材を保持する押縁が取り付けられる凹溝部とを備え、
前記第２フレーム材および前記第３フレーム材の前記保持片部は、前記カバー材が当接する当接面を有し、
前記カバー材は、前記換気装置に設けられ、その先端部が前記第２フレーム材および前記第３フレーム材の前記当接面に当接するヒレ部を備えて構成される
ことを特徴とする建具。
【請求項７】
請求項６に記載の建具において、
前記カバー材は、前記ヒレ部と、第２ヒレ部とを備え、
前記ヒレ部は、見込み方向の位置が、前記第２ヒレ部と前記凹溝部との間に配置され、
前記第２ヒレ部は、前記当接面に向かう突出寸法が前記ヒレ部よりも短い
ことを特徴とする建具。
【請求項８】
請求項６または請求項７に記載の建具において、
前記保持片部は前記見込片部の室内側または室外側の一方の端部から突出して形成され、前記凹溝部は前記見込片部の他方の端部に形成され、
前記換気装置は、前記第２フレーム材および前記第３フレーム材の前記他方の端部と、前記換気装置との隙間を塞ぐ第２カバー材を備える
ことを特徴とする建具。
【発明の詳細な説明】
【技術分野】
【０００１】
本発明は、室内外を仕切る建具に関する。
【背景技術】
【０００２】
従来、枠体および障子で構成される建具において、ガラスを保持する上框を換気框で構成した建具が知られている（例えば、特許文献１参照）。この建具では、通気口を設けた換気框の長手方向両端部に左右のキャップをそれぞれ取り付け、この左右のキャップを左右の縦框の凹部に嵌合し、ねじで連結していた。
【先行技術文献】
【特許文献】
【０００３】
【特許文献１】特許第５７３３７６２号公報
【発明の概要】
【発明が解決しようとする課題】
【０００４】
ところで、断熱性能を向上させるために、各框を樹脂製とし、上框および下框と、縦框とを溶着して組み立てた樹脂窓が知られている。このような樹脂窓では、上框の下面にユニット化された別体の換気装置を取り付けて、換気機構を備える建具と、換気機構を備えない建具とで上框を共通化できるものが考えられる。
この場合、上框、下框、縦框を溶着して建具枠を組み立てた後に、換気装置を建具枠内に配置して上框の下面に取り付ける。この換気装置も断熱性能を向上させるために樹脂製であり、建具枠や換気装置の公差や、樹脂製の建具枠や換気装置の熱伸び等を考慮し、換気装置の長手方向の寸法は、各縦框間の寸法よりも若干小さく設定される。このため、縦框と換気装置との間には隙間が生じ、気密性、水密性が低下し、光漏れも発生する。このため、縦框と換気装置との間にスポンジを挟んで隙間を塞ぐことが考えられた。
【０００５】
しかしながら、前記隙間にスポンジを配置して隙間を塞ぐ場合、ガラス接着用の接着剤の塗布作業に影響するという新たな課題が発生する。すなわち、接着剤塗布機のノズルは、接着剤の塗布面に対して近接させる必要があり、ノズル先端と塗布面との間隔は所定寸法以下に制御されている。一方、前記スポンジは、気密性や水密性を確保するために、縦框と換気装置とで潰す必要があり、このため、縦框および換気装置間の隙間からはみ出して盛り上がる。この盛り上がり部分の寸法が前記ノズル先端と塗布面との間隔以上になると、前記ノズルと前記スポンジとが干渉する場合がある。ノズルがスポンジに干渉した場合は、ノズルに負荷が加わるために接着剤塗布機が自動的に停止し、塗布済みの接着剤を剥がしたり、スポンジ部分を処理などしてから再度接着剤の塗布作業を行う必要があり、生産性が大幅に低下する。同様の課題は、換気装置を縦框や下框に取り付ける場合も発生する。
本発明の目的は、接着剤塗布機のノズルと干渉せずに換気装置とフレーム材との隙間を塞ぐことができる建具を提供することにある。
【課題を解決するための手段】
【０００６】
本発明の建具は、第１フレーム材と、前記第１フレーム材の各端部にそれぞれ溶着される第２フレーム材および第３フレーム材と、前記第２フレーム材および前記第３フレーム材に溶着される第４フレーム材とを有する建具枠と、前記第１フレーム材に取り付けられる換気装置と、前記第２フレーム材、前記第３フレーム材、前記第４フレーム材および前記換気装置に保持される面材と、前記第２フレーム材および前記第３フレーム材と前記換気装置との隙間を塞ぐカバー材と、を備え、前記第２フレーム材および前記第３フレーム材と前記換気装置とは、前記建具枠の見込み方向に沿って設けられた見込片部と、前記見込片部から見付け方向に突出して形成されて面材保持面を有する保持片部と、前記見込片部に連続して形成されて前記面材保持面との間に前記面材を保持する押縁が取り付けられる凹溝部とを備え、前記カバー材は、前記第２フレーム材および前記第３フレーム材の前記面材保持面と、前記換気装置とに跨がって配置されることを特徴とする。
【発明の効果】
【０００７】
本発明によれば、カバー材は、第２，３フレーム材と換気装置との間に挟まれて配置されるのではなく、第２，３フレーム材の面材保持面と、換気装置とに跨がって配置されるため、第２，３フレーム材および換気装置間に挟まれて潰されることがない。このため、カバー材は、接着剤塗布機のノズルと干渉せずに換気装置とフレーム材との隙間を塞ぐことができる。
【図面の簡単な説明】
【０００８】
【図１】実施形態の建具である引違い窓を示す内観図である。
【図２】前記引違い窓の上部を示す断面図である。
【図３】前記引違い窓の換気装置を示す分解斜視図である。
【図４】前記換気装置を示す拡大断面図である。
【図５】前記換気装置の端部キャップを示す斜視図である。
【図６】前記引違い窓の障子の組立手順を示す斜視図である。
【図７】上框および縦框の接合部分を示す拡大斜視図である。
【図８】換気装置および縦框の接続部分を示す拡大斜視図である。
【図９】接着剤の塗布状態を示す拡大斜視図である。
【図１０】押縁を取り付けた状態を示す拡大斜視図である。
【図１１】第２実施形態の換気装置および縦框の接続部分を示す拡大斜視図である。
【図１２】第２実施形態の換気装置および縦框の接続部分を示す断面斜視図である。
【図１３】第２実施形態の換気装置および縦框の接続部分を示す断面図である。
【発明を実施するための形態】
【０００９】
以下、本発明の第１実施形態を図面に基づいて説明する。
本実施形態の引違い窓１は、図１〜３に示すように、建物の躯体５の開口部に設けられる窓枠２と、窓枠２で囲まれた内部に左右方向に引き違い可能に配置された外障子３Ａおよび内障子３Ｂとを備えている。
窓枠２は、上枠２１、下枠２２および左右の縦枠２３、２４を四周枠組みすることで構成される。上枠２１、下枠２２、縦枠２３、２４は、塩化ビニル樹脂（ＰＶＣ）等の合成樹脂製の押出形材で構成され、全長に亘って略同一の断面形状を有する。上枠２１、下枠２２、縦枠２３、２４の長手方向の端部（小口）は、前記長手方向に対して４５度の角度で切断されている。上枠２１、下枠２２、縦枠２３、２４は、各小口同士を突き合わせて溶着することで四周枠組みされている。
【００１０】
外障子３Ａおよび内障子３Ｂは、上框３１、下框３２、縦框（戸先框）３３、縦框（召合せ框）３４を枠組みした障子枠３０と、障子枠３０内に組み込まれる面材である複層ガラス３５と、換気装置５０とを備えている。
上框３１、下框３２、縦框３３、３４は、塩化ビニル樹脂（ＰＶＣ）等の合成樹脂製の押出形材で構成され、全長に亘って略同一の断面形状を有する。上框３１、下框３２、縦框３３、３４の長手方向の端部（小口）は、前記長手方向に対して４５度の角度で切断され、各小口同士を突き合わせて溶着することで障子枠３０が構成されている。本実施形態では、後述するように、上框３１に換気装置（換気框ユニット）５０が取り付けられるため、上框３１が第１フレーム材である。また、上框３１の長手方向の両端部にそれぞれ溶着される縦框３３が第２フレーム材、縦框３４が第３フレーム材である。さらに、縦框３３、３４の下端部に取り付けられる下框３２が第４フレーム材である。
【００１１】
換気装置５０は、上框３１の下面つまり障子枠３０の内周面に取り付けられている。
複層ガラス３５は、下框３２および縦框３３、３４と、換気装置５０とで囲まれた部分に配置されている。すなわち、複層ガラス３５は、第２フレーム材である縦框３３と、第３フレーム材である縦框３４と、第４フレーム材である下框３２と、換気装置５０とで保持される。
【００１２】
ここで、図１、２に示すように、引違い窓１の上下方向をＹ軸とし、外障子３Ａ、内障子３Ｂのスライド移動方向をＸ軸とし、Ｘ軸およびＹ軸に直交する方向をＺ軸とすると、窓枠２（上枠２１、下枠２２、縦枠２３、２４）や、外障子３Ａ、内障子３Ｂの見込み方向は、Ｚ軸方向つまり引違い窓１の室内外方向（奥行き方向）である。また、上枠２１、下枠２２、上框３１、下框３２の見付け方向は、Ｙ軸方向つまり上下方向であり、縦枠２３、２４、縦框３３、３４の見付け方向は、Ｘ軸方向つまり外障子３Ａ、内障子３Ｂの移動方向（左右方向）である。
【００１３】
上框３１は、図２に示すように、本体部３１１と、室外片部３１２および室内片部３１３と、保持片部３１４と、凹溝部３１５とを備える。
本体部３１１は、複数の中空部（ホロー部）を備え、全体として略角筒状に形成されている。本体部３１１において、最も大きな中空部には、補強材３６が配置されている。
室外片部３１２および室内片部３１３は、本体部３１１の上面（外周面）の室外側端部および室内側端部から上方（外周側）に突設されている。保持片部３１４は、本体部３１１の下面（内周面）を構成する見込片部３１６の室内側端部から下方（内周側つまり見付け方向）に突設されている。凹溝部３１５は、本体部３１１の下面（内周面）つまり見込片部３１６の室外側端部に連続して形成されている。
【００１４】
下框３２および縦框（戸先框）３３は、上框３１と同一の構成とされている。このため、縦框３３は、図７に示すように、障子枠３０の内周面を構成する見込片部３１６と、見込片部３１６の室内側端部から縦框３４側つまり縦框３３の見付け方向に突設された保持片部３１４と、見込片部３１６の室外側端部に連続して形成された凹溝部３１５とを備えている。下框３２も同様の構成であるため、説明を省略する。
縦框（召合せ框）３４は、図示を略すが、上框３１および下框３２の小口と突き合わせて溶着可能なように、小口の外形が上框３１および下框３２の小口の外形と一致するように構成されている。また、縦框３４において、複層ガラス３５を保持する内周側には、上框３１等と同様に、保持片部や凹溝部が形成されている。一方、縦框３４の外周側は、室外片部３１２、室内片部３１３は形成されておらず、見付け寸法（Ｘ軸方向の寸法）が上框３１の本体部３１１および室外片部３１２の寸法と同程度となる本体部が設けられている。さらに、縦框３４は、召合せ框であるため、煙返しなどの召合せ框に必要な構造や部品が設けられている。
【００１５】
上框３１、下框３２、縦框３３、３４の各保持片部３１４には、図７にも示すように、保持片部３１４の内周側端部から室外側に向かって突出する突条部３１４Ａが形成されている。上框３１の突条部３１４Ａは、図２に示すように換気装置５０が当接する。一方、下框３２、縦框３３、３４の突条部３１４Ａは、後述するように、複層ガラス３５が当接される。このため、保持片部３１４において突条部３１４Ａが突設される面によって、面材保持面３１９が構成されている。
また、縦框３３、３４の突条部３１４Ａにおいて、後述する端部キャップ１００の軟質ヒレ部１０５が配置される箇所は切削され、切欠部３１４Ｂが形成されている。
突条部３１４Ａは、複層ガラス３５の室内面に接触し、複層ガラス３５を位置決めするために用いられる。また、面材保持面３１９には、複層ガラス３５用の接着剤が塗布される。突条部３１４Ａは、前記接着剤が保持片部３１４の端縁から流れ落ちないように、接着剤を留める壁としても機能する。
【００１６】
換気装置５０は、図２〜４に示すように、換気装置本体６０と、室外側アタッチメント７０と、室内側アタッチメント８０と、カバー９０と、端部キャップ１００とを備える。
換気装置本体６０は、上框３１の長手方向（Ｘ軸方向）に沿って長尺とされた塩化ビニル樹脂（ＰＶＣ）等の合成樹脂製の押出形材である。換気装置本体６０は、図４に示すように、取付部６１と、面材保持部６２と、連結部６３とを備えて構成される。
取付部６１は、室外側中空部６１１と、室内側中空部６１２と、取付片６１３と、当接部６１４とを備えている。室外側中空部６１１は、上下に並んだ２つの中空部を備えて略角筒形状に構成され、室内側中空部６１２よりも上下方向（Ｙ軸方向）の寸法が大きくされている。
室内側中空部６１２は、室外側中空部６１１の室内側に設けられて略角筒形状に形成されている。図２に示すように、室内側中空部６１２の室内面の下端部は、上框３１の保持片部３１４に当接されている。したがって、室内側中空部６１２の室内面によって、保持片部３１４に当接する当接部６１４が構成されている。室内側中空部６１２の長手方向の端部には、図３にも示すように、端部キャップ１００の固定に用いられる裏板６１６が挿入されてネジ止めされている。
取付片６１３は、室外側中空部６１１から上方（上框３１側）に突設されて上框３１の凹溝部３１５に嵌め込まれており、これにより換気装置５０は上框３１に取り付けられている。
【００１７】
面材保持部６２は、図４に示すように、室外側中空部６２１と、室内側中空部６２２と、室外側壁部６２３と、保持片部６２４と、凹溝部６２５とを備えている。室外側中空部６２１は略角筒形状に形成され、その長手方向の端部には、図３にも示すように、端部キャップ１００の固定に用いられる裏板６２６が挿入されてネジ止めされている。
室内側中空部６２２は、扁平な略角筒形状に形成され、室外側中空部６２１の下面から室内側に連続して設けられている。
室外側壁部６２３は、室外側中空部６２１の下面の室外側端部から下方に延出され、その下端位置は室内側中空部６２２の下面と同じ位置とされている。
保持片部６２４は、室内側中空部６２２の下面の室内側端部から下方に延出されている。凹溝部６２５は、室外側壁部６２３および室内側中空部６２２間に形成されている。従って、室内側中空部６２２によって、換気装置５０の見込片部６３０が構成されている。
換気装置本体６０の下面部の形状や寸法、具体的には、室外側壁部６２３、室内側中空部６２２、保持片部６２４、凹溝部６２５において下面（内周面）側に露出している部分の形状や寸法は、上框３１、下框３２、縦框３３、３４の内周面の露出部分と同じものとされている。このため、上框３１に取り付けられた換気装置５０は、下框３２、縦框３３、３４と同じ構造で複層ガラス３５を保持することができる。
【００１８】
保持片部６２４には、保持片部３１４と同様に、障子枠３０の内周側端縁に沿って突条部６２４Ａが形成されている。保持片部６２４において、突条部６２４Ａが形成された面は、面材保持面６２９を構成する。この面材保持面６２９は、面材保持面３１９と同じく、複層ガラス３５を位置決めする機能と、接着剤を留める壁としての機能を有する。
【００１９】
連結部６３は、室外側中空部６１１および室外側中空部６２１の室内側端部間を連結する室内側連結片６３１と、室内側連結片６３１の室外側に平行に配置されて室外側中空部６１１および室外側中空部６２１の対向面間を連結する室外側連結片６３２とを備える。したがって、連結部６３は、室外側中空部６１１、室外側中空部６２１、室内側連結片６３１、室外側連結片６３２で囲まれる空間を備えている。
室内側連結片６３１、室外側連結片６３２には、図３，４に示すように、連結部６３の室外側および室内側を連通する通気孔６３３、６３４が、換気装置本体６０の長手方向（Ｘ軸方向）に沿って一定間隔で複数形成されている。さらに、室内側連結片６３１、室外側連結片６３２の一方の端部側には、後述する室外側連結部材７５や室内側連結部８４５が配置されるガイド穴６３５が形成されている。
【００２０】
図４に示すように、室外側中空部６１１の下面および室外側中空部６２１の上面には、室外側アタッチメント７０が係合する突条部６１７、６２７が形成され、室内側中空部６１２の下面および室内側中空部６２２の上面には室内側アタッチメント８０が係合する突条部６１８、６２８が形成されている。
【００２１】
室外側アタッチメント７０は、アタッチメント本体７１および室外側作動板７２を備える。アタッチメント本体７１および室外側作動板７２は、それぞれ換気装置本体６０の長手方向（Ｘ軸方向）に沿って長尺とされたアルミニウム等の金属製の押出形材である。
アタッチメント本体７１は、連結部６３の室外側に配置されて突条部６１７、６２７に係合することで、室外側中空部６１１および室外側中空部６２１間の空間を塞ぐように取り付けられている。さらに、図３に示すように、室内側から換気装置本体６０を介してアタッチメント本体７１のブラケット７１１にねじ込まれたネジ７３によって取り付けられている。このネジ７３は、後述するように、カバー９０および室内側アタッチメント８０を取り外すことで、室内側に露出し、室内側から取り外すことができる。
アタッチメント本体７１には、図４に示すように、アタッチメント本体７１の室内外を連通する通気孔７１３が、換気装置本体６０の長手方向（Ｘ軸方向）に沿って一定間隔で複数形成されている。
【００２２】
室外側作動板７２は、アタッチメント本体７１の室内側に沿って配置され、アタッチメント本体７１の長手方向（Ｘ軸方向）に沿ってスライド移動可能に案内されている。室外側作動板７２には、アタッチメント本体７１と同様に、室外側作動板７２の室内外を連通する通気孔７２３が、図３に示すように、長手方向（Ｘ軸方向）に沿って一定間隔で複数形成されている。各通気孔７２３間の部分は、後述するように通気孔７１３を塞ぐことが可能な閉鎖壁７２４とされている。
室外側作動板７２の長手方向の端部近傍には、室外側連結部材７５が取り付けられている。この室外側連結部材７５は、換気装置本体６０のガイド穴６３５を介して室内側連結部８４５に接続される。室内側連結部８４５は後述する操作ツマミ８５に連結されており、操作ツマミ８５を換気装置５０の長手方向（Ｘ軸方向）に沿って左右にスライド移動させると、室内側連結部８４５および室外側連結部材７５を介して室外側作動板７２も左右に移動する。
操作ツマミ８５の開操作によって室外側作動板７２が前記長手方向に沿った第一方向に移動した場合には、アタッチメント本体７１の通気孔７１３と室外側作動板７２の通気孔７２３との位置が室内外方向に揃い、各通気孔７１３、７２３を通して通気が可能とされている。
一方、操作ツマミ８５の閉操作によって室外側作動板７２が前記第一方向とは逆方向の第二方向に移動した場合には、アタッチメント本体７１の通気孔７１３を室外側作動板７２の閉鎖壁７２４で塞ぎ、通気孔７１３を介した通気が遮断されるようにされている。
【００２３】
室内側アタッチメント８０は、図４に示すように、アタッチメント本体８１と、室内側作動板８２と、端部部材８３と、ガイド部材８４と、操作ツマミ８５（図３参照）とを備える。
アタッチメント本体８１は、換気装置本体６０の長手方向（Ｘ軸方向）に沿って長尺に形成されたアルミニウム等の金属製の押出形材である。アタッチメント本体８１は、連結部６３の室内側に配置されて突条部６１８、６２８に係合することで、室内側中空部６１２および室内側中空部６２２間の空間を塞ぐように取り付けられている。さらに、アタッチメント本体８１は、図３に示すように、カバー９０を取り外すことで室内側に露出するネジ８７によって、端部キャップ１００を介して換気装置本体６０に取り付けられている。
アタッチメント本体８１は、図４に示すように、軸支部８１１と、ベース部８１２と、軸支部８１１およびベース部８１２間を連結する連結壁部８１３とを備えている。軸支部８１１は、室内側作動板８２の上端部に設けられた軸部８２１を回動自在に軸支する。
ベース部８１２は、ガイド部材８４をスライド移動可能に案内する。
連結壁部８１３には、アタッチメント本体８１の室内外を連通する通気孔８１５が、室内側アタッチメント８０の長手方向（Ｘ軸方向）に沿って一定間隔で複数形成されている。連結壁部８１３の室内側には、図３，４に示すように、前記通気孔８１５を覆うように長尺のフィルター８１６が、面ファスナーなどを用いて着脱可能に貼られている。フィルター８１６は、換気装置５０を通る気流中の塵埃等を捕集するためのものであり、不織布、フェルト、綿などによってシート状に形成されている。
アタッチメント本体８１には、ツマミカバー８６が取り付けられている。ツマミカバー８６は、フィルター８１６の長手方向の端部に隣り合う位置に取り付けられている。
【００２４】
室内側作動板８２は、アルミニウムなどの金属製部材であり、図４に示すように、軸支部８１１に嵌合する断面円形状の軸部８２１が上縁に形成され、軸部８２１の軸心を中心として回動可能に構成されている。室内側作動板８２の下端部には、室内外方向にそれぞれ突片が突出されている。
室内側作動板８２の長手方向の端部には、前記突片に嵌合する合成樹脂製の端部部材８３が設けられている。端部部材８３の下面にはガイドピン８３１が突設され、ガイド部材８４に案内されている。
室内側作動板８２の室内面には、長手方向の両端部と、長手方向に沿った下端部とに気密材８２２が取り付けられている。
【００２５】
ガイド部材８４は、操作ツマミ８５が固定されている。操作ツマミ８５は、ツマミカバー８６で案内され、Ｘ軸方向に沿った第一方向および第二方向に移動可能に設けられている。
ガイド部材８４は、前記ガイドピン８３１を案内する案内溝８４１が形成されている。案内溝８４１は、Ｘ−Ｙ平面においてＸ軸およびＹ軸に対して斜めに形成され、操作ツマミ８５の操作でガイド部材８４がＸ軸方向に沿った第一方向（開操作方向）に移動した際に、ガイドピン８３１を室外側に案内し、第一方向とは逆方向である第二方向（閉操作方向）に移動した際に、ガイドピン８３１を室内側に案内する。
ガイド部材８４は、室外側連結部材７５に嵌合される室内側連結部８４５を備えている。室外側連結部材７５および室内側連結部８４５は、連結部６３に形成されたガイド穴６３５を介して嵌合され、室外側連結部材７５およびガイド部材８４は操作ツマミ８５によって一体に移動する。
【００２６】
操作ツマミ８５を閉操作方向に移動すると、室内側作動板８２は、下端部が室内側に移動するように回動し、気密材８２２が連結壁部８１３に密着する。通気孔８１５は、室内側作動板８２で閉じられ、通気も遮断され、室内側アタッチメント８０の通気孔８１５は閉鎖される。
この際、ガイド部材８４とともに室外側連結部材７５も第二方向（閉操作方向）に移動し、アタッチメント本体７１の通気孔７１３は室外側作動板７２の閉鎖壁７２４で塞がれ、室外側アタッチメント７０の通気孔７１３も閉鎖される。
【００２７】
操作ツマミ８５を開操作方向に移動すると、室内側作動板８２は、下端部が室外側に移動するように回動し、気密材８２２も連結壁部８１３から離れるため、室内側アタッチメント８０の通気孔８１５は開口され、通気が可能となる。
この際、ガイド部材８４とともに室外側連結部材７５も第一方向（開操作方向）に移動し、アタッチメント本体７１の通気孔７１３は室外側作動板７２の通気孔７２３と室内外方向に重なり、室外側アタッチメント７０の通気孔７１３も開口される。
【００２８】
カバー９０は、合成樹脂製とされ、図３，４に示すように、ツマミカバー８６が配置される開口９１と、フィルター８１６に対向する位置に設けられた複数のスリット９２とが形成されている。
カバー９０の室外面には、室内側アタッチメント８０に係合する爪部９３と、換気装置本体６０の保持片部６２４の下端部（突条部６２４Ａ）に係合する爪部９４とを備える。このため、カバー９０は、室内側アタッチメント８０および換気装置本体６０にスナップイン方式で着脱可能に取り付けられ、これらの室内側露出面を被覆する。また、カバー９０は、アタッチメント本体８１の室内面に取り付けられたフィルター８１６が室内側に露出しないように被覆するフィルターカバーとして機能する。さらに、換気装置本体６０や室内側アタッチメント８０と、カバー９０との対向面に面ファスナーを接着し、面ファスナーも併用してカバー９０を着脱可能としてもよい。
カバー９０の長手方向（Ｘ軸方向）の寸法は、換気装置本体６０の長手方向（Ｘ軸方向）の寸法に比べて大きく設定されている。このため、カバー９０の長手方向の端部（左右の端部）は、換気装置本体６０よりも僅かに突出して設けられている。
【００２９】
端部キャップ１００は、図３に示すように、裏板６１６、６２６にねじ込まれるネジ１０１によって、換気装置本体６０、室外側アタッチメント７０、室内側アタッチメント８０の長手方向の両端部にそれぞれ取り付けられ、端部開口を塞いでいる。
端部キャップ１００は、図５に示すように、キャップ本体部１０２と、キャップ本体部１０２に取り付けられた軟質ヒレ部１０５とを備える。キャップ本体部１０２は、アクリルエチレンプロピレンゴムスチレン（ＡＥＳ）、アクリルスチレンアクリレート（ＡＳＡ）等の硬質樹脂材で構成される。軟質ヒレ部１０５は、例えば、エチレン−プロピレン共重合体（ＥＰＭ）、エチレン−プロピレン−ジエン共重合体（ＥＰＤＭ）、シリコーン系ゴム、軟質ＰＶＣ、エチレン酢酸ビニル共重合体（ＥＶＡ）、各種エラストマー（ＰＶＣ系、エチレン酢酸ビニル系、塩素化ポリエチレン、スチレンブタジエン、ウレタン系）等の軟質樹脂で構成される。
【００３０】
キャップ本体部１０２は、ベース部１０３と、スペーサー部１０４とを備える。ベース部１０３は、端部キャップ１００の外側つまり縦框３３、３４側に開口するように断面略コ字状に形成されている。ベース部１０３の下端部には、換気装置本体６０の凹溝部６２５に連続する凹溝部１０８が形成されている。
スペーサー部１０４は、ベース部１０３から室内側に突出して形成され、その下端部はベース部１０３の下端よりも下方まで延長されている。このスペーサー部１０４は、図８にも示すように、換気装置本体６０と、縦框３３との間に配置され、その室内面はカバー９０で被覆されて室内に露出しないように構成されている。なお、図示は略すが、スペーサー部１０４は、換気装置本体６０と縦框３４との間にも同様に配置される。
【００３１】
キャップ本体部１０２と換気装置本体６０との間には、シート状のシーラー１０６が挟まれており、換気装置本体６０およびキャップ本体部１０２間をシールしている。
ベース部１０３において、スペーサー部１０４が突設される面には、発泡ウレタン等で構成されたキャップシーラー１０７が貼り付けられている。キャップシーラー１０７は、後述するように縦框３３、３４の保持片部３１４に当接され、保持片部３１４とキャップ本体部１０２との間をシールするものである。
軟質ヒレ部１０５は、スペーサー部１０４の外側面、つまり縦框３３、３４に対向する面に固定されている。また、軟質ヒレ部１０５は、スペーサー部１０４において、ベース部１０３よりも下方に突出した部分に配置され、その上端部はキャップシーラー１０７と重なる位置まで設けられている。このため、軟質ヒレ部１０５は、図８、９に示すように、スペーサー部１０４から縦框３３の保持片部３１４に跨がって配置されている。この際、スペーサー部１０４の室外面つまり複層ガラス３５に対向する面は、保持片部６２４の面材保持面６２９よりも複層ガラス３５側つまり室外側に位置し、突条部６２４Ａの室外面よりも室内側に位置する。このスペーサー部１０４も、後述するように接着剤４５が塗布されるため面材保持面として機能する。なお、図示は略すが、換気装置本体６０と縦框３４との間に配置されるスペーサー部１０４においても、軟質ヒレ部１０５は同様に配置される。
軟質ヒレ部１０５は、断面略Ｌ字状に形成され、軟質ヒレ部１０５の室外面はスペーサー部１０４の室外面にほぼ連続するように設けられている。この軟質ヒレ部１０５は、スペーサー部１０４に接着剤で固定してもよいが、本実施形態では、二色成形によってキャップ本体部１０２と一体に成形されている。
【００３２】
以上のような構成を備える本実施形態では、換気装置５０の室内側および室外側間で空気を流通させる通気部６５は、室外側中空部６１１、室外側中空部６２１および端部キャップ１００で区画される室外側空間と、室内側連結片６３１、室外側連結片６３２および端部キャップ１００で区画される空間と、室内側中空部６１２、室内側中空部６２２および端部キャップ１００で区画される室内側空間と、これらの各空間を連通する通気孔６３３、６３４とで構成される。そして、室外側アタッチメント７０は、通気部６５の室外側開口を開閉可能に構成され、室内側アタッチメント８０は、通気部６５の室内側開口を開閉可能に構成されている。
【００３３】
次に、換気装置５０が取り付けられる外障子３Ａ、内障子３Ｂの組立方法について、図６〜１０を参照して説明する。
予め障子枠３０および換気装置５０を組み立てておく。障子枠３０は、図６，７にも示すように、上框３１、下框３２、縦框３３、３４の小口同士を突き合わせて溶着して枠組みする。換気装置５０は、換気装置本体６０、室外側アタッチメント７０、室内側アタッチメント８０、カバー９０、端部キャップ１００を、ネジなどを用いて組み立てる。
次に、図６に示すように、障子枠３０の縦框３３、３４間に換気装置５０を配置し、この換気装置５０を縦框３３、３４に沿って上方に移動する。そして、換気装置本体６０の取付片６１３を上框３１の凹溝部３１５に嵌め込んで、図８に示すように、換気装置５０を上框３１の下面に取り付ける。
この際、図８に示すように、端部キャップ１００のスペーサー部１０４は、換気装置本体６０の端縁と縦框３３、３４との間に配置される。軟質ヒレ部１０５は、縦框３３、３４の切欠部３１４Ｂに配置され、スペーサー部１０４から縦框３３、３４の保持片部３１４に跨がって配置されている。ここで、軟質ヒレ部１０５は切欠部３１４Ｂに配置されるため、軟質ヒレ部１０５の表面と、突条部３１４Ａの室外面とは面材保持面３１９からの突出寸法が略同じ程度とされている。
また、端部キャップ１００のキャップシーラー１０７は、上框３１の保持片部３１４から縦框３３、３４の保持片部３１４に跨がって密着してシールする。
【００３４】
次に、図９に示すように、換気装置５０の保持片部６２４と、縦框３３の保持片部３１４に接着剤４５を塗布する。すなわち、接着剤塗布機のノズル９００を各保持片部３１４、６２４の面材保持面３１９、６２９に沿って動かし、ノズル９００から吐出する接着剤４５を面材保持面３１９、６２９に塗布する。なお、図示を略すが、縦框３４や下框３２の保持片部にも接着剤４５を塗布する。
ここで、ノズル９００の先端と、面材保持面３１９、６２９との間隔は所定寸法に設定されるが、スペーサー部１０４および軟質ヒレ部１０５は、面材保持面３１９、６２９の表面からの突出寸法が、前記ノズル９００の先端と面材保持面３１９、６２９との間隔よりも小さい寸法に収まっているので、ノズル９００がスペーサー部１０４や軟質ヒレ部１０５に干渉することを防止できる。
次に、図１０に示すように、ノズル９００によって塗布した接着剤４５によって、複層ガラス３５を保持片部３１４、６２４に接着し、押縁４０の取付片４１を縦框３３、換気装置５０および図示略の縦框３４、下框３２の凹溝部３１５、６２５、１０８に挿入する。これにより、複層ガラス３５は、各保持片部３１４、６２４および押縁４０で保持される。以上により、外障子３Ａ、内障子３Ｂを組み立てることができる。
【００３５】
次に、換気装置５０のメンテナンス方法について説明する。
図３に示すようにカバー９０を取り外すと、フィルター８１６が室内側に露出するため、フィルター８１６は容易に清掃できる。また、フィルター８１６は、面ファスナーなどで着脱可能であるため、フィルター８１６を外して洗浄したり、交換することも容易に行える。
さらに、室内側アタッチメント８０を固定しているネジ８７が室内側に露出するため、ネジ８７を外すことで、室内側アタッチメント８０を取り外すことができる。また、室内側アタッチメント８０を換気装置本体６０から取り外せば、室外側アタッチメント７０を固定しているネジ７３が室内側に露出するため、ネジ７３を外すことで室外側アタッチメント７０を取り外すことができる。
このため、室外側アタッチメント７０、室内側アタッチメント８０を、換気装置本体６０から取り外して、修理、交換することができる。したがって、室外側作動板７２や室内側作動板８２等の可動部品を有する室外側アタッチメント７０、室内側アタッチメント８０に破損などが生じても、新品に交換でき、メンテナンス作業を容易に行うことができる。
【００３６】
このような本実施形態によれば、次のような効果がある。
本実施形態では、縦框３３、３４の面材保持面３１９と、換気装置５０とに跨がってカバー材である軟質ヒレ部１０５が配置されるため、縦框３３、３４と換気装置５０との隙間を軟質ヒレ部１０５で塞ぐことができる。このため、引違い窓１の気密性や水密性を向上でき、さらに、光漏れの発生を防止でき、隙間が目立たないので意匠性も向上できる。
また、軟質ヒレ部１０５は、縦框３３、３４と換気装置５０との間に挟まれて配置されるのではなく、縦框３３、３４の面材保持面３１９と換気装置５０とに跨がって配置される。このため、ノズル９００の先端と面材保持面３１９、６２９との間隔よりも小さい厚さ寸法の軟質ヒレ部１０５を用いることで、接着剤塗布機のノズル９００と軟質ヒレ部１０５とが干渉することを防止できる。このため、接着剤塗布機が停止したり、接着剤塗布作業をやり直す必要が無く、生産性の低下も防止できる。
【００３７】
縦框３３、３４の保持片部３１４における突条部３１４Ａに切欠部３１４Ｂを形成し、軟質ヒレ部１０５を切欠部３１４Ｂに配置したので、軟質ヒレ部１０５を突条部３１４Ａ上に配置した場合に比べて、軟質ヒレ部１０５の面材保持面３１９からの突出寸法量を小さくできる。このため、軟質ヒレ部１０５がノズル９００に干渉することをより確実に防止できる。
【００３８】
端部キャップ１００は、硬質樹脂材や半硬質樹脂材で構成されるキャップ本体部１０２と、軟質樹脂で構成される軟質ヒレ部１０５とを、二色成形によって一体に成形しているので、端部キャップ１００が装着された換気装置５０を障子枠３０内に組む込むことで、換気装置５０から縦框３３、３４の面材保持面３１９に跨がって軟質ヒレ部１０５を配置できる。このため、換気装置５０および縦框３３、３４間に別体のスポンジを貼り付ける場合に比べて作業工数を減少でき、組立作業性を向上できる。さらに、換気装置５０を障子枠３０に組み込んだ後に、シート状のカバー材を縦框３３、３４および換気装置５０に接着する場合に比べても、組立作業性を向上できる。
【００３９】
端部キャップ１００にシーラー１０６、キャップシーラー１０７を設けたので、端部キャップ１００と換気装置本体６０との間や、端部キャップ１００と上框３１、縦框３３、３４との間のシール性能を向上できる。キャップシーラー１０７はスポンジで構成されるが、接着剤４５が塗布される位置から離れているため、端部キャップ１００および縦框３３、３４間で潰されても、ノズル９００と干渉することはない。
【００４０】
換気装置５０を上框３１の下面に取り付けているので、上框３１を含む障子枠３０は換気装置５０を設けない引違い窓１と同じ部品を用いることができる。このため、上框３１を専用の換気框で構成する場合に比べて、上框３１つまりは障子枠３０の見付け寸法を小さくできて、意匠性を向上でき、コストも低減できる。
また、上框３１において、通常は押縁４０が取り付けられる凹溝部３１５を利用して換気装置５０を取り付けているので、上框３１に換気装置５０を取り付けるための新規な構造を設ける必要が無く、換気装置５０の取付構造を簡略化できる。
さらに、換気装置５０は、下框３２、縦框３３、３４と同じ構造の面材保持部６２を備えているので、保持片部６２４および押縁４０を用いて複層ガラス３５を保持することができ、複層ガラス３５を保持するために部品を別途設ける必要が無いため、部品点数を少なくできる。
【００４１】
換気装置５０は、上框３１に取り付けられ、かつ、複層ガラス３５を保持する換気装置本体６０と、換気装置本体６０に着脱可能に取り付けられた室外側アタッチメント７０、室内側アタッチメント８０を備えている。このため、室外側アタッチメント７０や室内側アタッチメント８０を取り外すだけで、換気装置本体６０を上框３１や複層ガラス３５から取り外すことなく、換気装置５０内部のメンテナンスを行うことができる。特に、通気部６５を開閉する可動部品である室外側作動板７２や、室内側作動板８２は、室外側アタッチメント７０や室内側アタッチメント８０を取り外すことで、交換や修理などのメンテナンスを容易に行うことができる。
その上、室外側アタッチメント７０、室内側アタッチメント８０は、カバー９０や室内側アタッチメント８０を取り外すことで室内側に露出するネジ８７、７３で取り付けられているので、室内側からの簡単な作業で取り外すことができ、この点でもメンテナンス性を向上できる。
さらに、換気装置５０でメンテナンス頻度が高くなるフィルター８１６は、カバー９０を外すだけで清掃が可能であるため、定期的なメンテナンス作業もきわめて容易に行え、引違い窓１を利用しているユーザーが容易に清掃することができる。その上、フィルター８１６は、面ファスナーなどでアタッチメント本体８１から取り外すことができるので、容易に洗浄したり、交換することができる。
【００４２】
本実施形態の換気装置５０は外障子３Ａ、内障子３Ｂに設けられているので、換気装置が組み込まれていない障子を用いている引違い窓１であっても、障子３Ａ，３Ｂを換気装置５０付きの障子３Ａ，３Ｂに交換するだけで換気機能を追加することができる。このため、窓枠に換気装置を設ける場合に比べて、簡単なリフォーム作業で換気機能を有する引違い窓１とすることができる。したがって、引違い窓１を有する建物を、障子交換のみで第３種換気設備対応とすることができる。
【００４３】
換気装置５０は、樹脂製の換気装置本体６０を主要構成とし、室内外に連続する金属部品が無いため、断熱性能を向上できる。また、換気装置本体６０や室内側アタッチメント８０の室内面を樹脂製のカバー９０で覆っているので、断熱性能を向上でき、かつ、合成樹脂製の障子枠３０の内観と統一感のある内観意匠とすることができる。
さらに、換気装置本体６０の連結部６３を、室内側連結片６３１、室外側連結片６３２の２つの連結片で構成し、これらの連結片６３１、６３２間の空間を含んで換気装置５０の通気部６５を構成したので、特に、室外側アタッチメント７０、室内側アタッチメント８０が閉鎖されている場合に、通気部６５の断熱性能を向上できる。
【００４４】
換気装置本体６０は、取付部６１、面材保持部６２に複数の中空部を設け、さらに連結部６３は２つの連結片６３１、６３２で構成したので、強度を確保でき、見込み寸法（Ｚ軸方向の寸法）を上框３１と同じスリムな寸法とすることができる。
さらに、室外側作動板７２はＸ軸方向にスライドするため、室外側アタッチメント７０の見込み寸法を小さくできる。このため、換気装置本体６０において連結部６３の見込み方向の位置を室外側にずらして設けることができ、連結部６３から室内側の空間を広く形成できる。したがって、室内側アタッチメント８０の室内側作動板８２が室外側に回動する空間を確保しつつ、換気装置５０の見込み寸法を小さくすることができる。
【００４５】
［第２実施形態］
次に、本発明の第２実施形態について、図１１〜図１３に基づいて説明する。
第２実施形態の建具である引違い窓１Ｂは、第１実施形態の引違い窓１に対し、換気装置５０Ｂの端部キャップ１００Ｂの構成が相違する。また、縦框３３、縦框３４の保持片部３１４には切欠部３１４Ｂが形成されていない点も相違する。その他の構成は引違い窓１と同様であるため、同一符号を付して説明を簡略または省略する。
【００４６】
第２実施形態の建具である引違い窓１Ｂは、引違い窓１と同様に、建具枠である障子枠３０と、換気装置５０Ｂとを備える。障子枠３０は、引違い窓１と同じく、上框３１、下框３２、縦框３３、３４を溶着により四周枠組みして構成されている。ただし、引違い窓１の縦框３３、３４は、保持片部３１４に切欠部３１４Ｂが形成されていたが、引違い窓１Ｂの縦框３３、３４では、切欠部３１４Ｂは形成されていない。
【００４７】
換気装置５０Ｂの構成は、引違い窓１の換気装置５０と同様であるため、説明を省略する。
端部キャップ１００Ｂは、端部キャップ１００と同様に、換気装置５０の換気装置本体６０の長手方向の両端部にそれぞれ取り付けられている。
端部キャップ１００Ｂは、キャップ本体部１０２Ｂと、カバー材１１５と、第２カバー材１２５とを備えている。キャップ本体部１０２Ｂは、キャップ本体部１０２と同様に、ベース部１０３Ｂと、スペーサー部１０４Ｂとを備える。
キャップ本体部１０２Ｂには、シート状のシーラー１０６Ｂが取り付けられており、シーラー１０６Ｂは換気装置本体６０の端面に当接してシールしている。
ベース部１０３Ｂにおいて、保持片部３１４の面材保持面３１９に対向する面には、発泡ウレタンなどで構成されたキャップシーラー１０７Ｂが貼り付けられてる。
キャップシーラー１０７Ｂは、縦框３３、３４の保持片部３１４およびカバー材１１５に当接し、保持片部３１４とキャップ本体部１０２Ｂとの間をシールしている。
【００４８】
カバー材１１５は、軟質ヒレ部１０５と同様に軟質樹脂材で構成されたタイト材であり、図１３に示すように、キャップ本体部１０２Ｂに固定される固定部１１６と、固定部１１６から突出するヒレ部１１７および第２ヒレ部１１８を備えている。
ヒレ部１１７の先端側は当接面３１４Ｃに当接して折曲されている。折曲されたヒレ部１１７の先端の見込み方向の位置は、図１３に示すように、突条部３１４Ａの先端とほぼ同じ位置とされている。ノズル９００の先端は、突条部３１４Ａに干渉しない位置に配置されるため、ノズル９００から接着剤４５を吐出する際に、ノズル９００と突条部３１４Ａおよびカバー材１１５が干渉することを防止できる。
【００４９】
第２ヒレ部１１８は、見込み方向の位置がヒレ部１１７よりも室内側とされ、当接面３１４Ｃに向かう突出寸法がヒレ部１１７よりも短く設定されている。第２ヒレ部１１８の突出寸法は、先端部が当接面３１４Ｃに近接あるいは接する寸法に設定されている。
ヒレ部１１７が当接面３１４Ｃに当接することで、端部キャップ１００Ｂと縦框３３、３４との隙間が塞がれている。また、第２ヒレ部１１８が当接面３１４Ｃに近接したり接しているので、先端が折曲されたヒレ部１１７が室内側に露出せず、端部キャップ１００Ｂの意匠性を向上できる。
【００５０】
第２カバー材１２５は、ベース部１０３Ｂに取り付けられた表面プレート１２０に固定されている。表面プレート１２０は硬質樹脂材で形成され、ベース部１０３Ｂに嵌め込まれている。第２カバー材１２５は軟質樹脂材で形成され、表面プレート１２０に一体で成形されている。なお、第２カバー材１２５を表面プレート１２０に接着して一体化してもよいし、表面プレート１２０に形成された不図示の凹部に、第２カバー材１２５に形成された不図示の凸部を嵌入して取り付ける構成としても良い。
第２カバー材１２５の先端は、縦框３３、３４に当接され、端部キャップ１００Ｂと縦框３３、３４との室外側の隙間を覆っている。すなわち、図１３に示すように、第２カバー材１２５の先端は、縦框３３、３４の凹溝部３１５側の見込み面または室外面に当接している。これにより、端部キャップ１００Ｂと縦框３３、３４との室外側の隙間を第２カバー材１２５で覆うことができ、意匠性を向上できる。
なお、端部キャップ１００Ｂには、凹溝部３１５に挿入されたプレート１３０が設けられており、端部キャップ１００Ｂと縦框３３、３４との見込方向の位置合わせを行っている。
【００５１】
以上の第２実施形態の引違い窓１Ｂにおいても、前記実施形態の引違い窓１と同様の作用効果を奏することができる。
さらに、引違い窓１Ｂでは、端部キャップ１００Ｂのカバー材１１５を、保持片部３１４の当接面３１４Ｃに当接させているので、保持片部３１４に切欠部３１４Ｂを形成する必要が無いため、縦框３３、３４の加工工数を削減でき、製造コストを低減できる。
【００５２】
本発明は、以上の実施形態で説明した構成のものに限定されず、本発明の目的を達成できる範囲での変形例は、本発明に含まれる。
第１実施形態において、縦框３３、３４と換気装置５０との隙間を塞ぐカバー材は、キャップ本体部１０２と一体の軟質ヒレ部１０５に限定されない。例えば、縦框３３、３４の面材保持面３１９と、換気装置５０の面材保持面６２９とに跨がって取り付けられるシート材でカバー材を構成してもよい。
また、前記第１実施形態では、突条部３１４Ａに切欠部３１４Ｂを形成し、この切欠部３１４Ｂに軟質ヒレ部１０５を配置していたが、切欠部３１４Ｂを形成せずに突条部３１４Ａの上に軟質ヒレ部１０５を配置してもよい。この場合、突条部３１４Ａの突出寸法と、軟質ヒレ部１０５の厚さ寸法とを加算した寸法が、面材保持面３１９とノズル９００との間隔寸法よりも小さくなるように設計すれば良い。
【００５３】
第１実施形態において、縦框３３、３４の面材保持面３１９と、換気装置５０とに跨がって配置されるカバー材に加えて、縦框３３、３４の凹溝部３１５と換気装置５０とに跨がって配置される第２カバー材を設けてもよい。例えば、端部キャップ１００のキャップ本体部１０２において、凹溝部３１５に対向して配置される対向面に軟質ヒレ部を一体に形成し、この軟質ヒレ部を凹溝部３１５内に差し込んで配置したり、凹溝部３１５の室外面つまり縦框３３、３４の室外面に接触させて配置すればよい。
また、第２カバー材としては、端部キャップ１００のキャップ本体部１０２の室外面と、凹溝部３１５の室外面つまり縦框３３、３４の室外面とに跨がって取り付けられるシート材で構成してもよい。
軟質ヒレ部１０５等で構成されるカバー材に加えて第２カバー材を設ければ、縦框３３、３４の凹溝部３１５側つまり室外面と、換気装置５０の端部キャップ１００との隙間を塞ぐことができ、引違い窓１の気密性や水密性を一層向上でき、さらに、隙間が目立たないので意匠性もさらに向上できる。
さらに、前記各実施形態では、カバー材である軟質ヒレ部１０５やカバー材１１５を建具の室内側に設けていたが、室外側に設けてもよい。同様に、第２カバー材１２５は建具の室外側に設けていたが室内側に設けてもよい。
【００５４】
換気装置５０、５０Ｂは、引違い窓１の障子３Ａ，３Ｂに組み込まれるものに限定されず、すべり出し窓や、上げ下げ窓等の各種障子に組み込むことができる。この際、各框の保持片部３１４や、押縁取付用の凹溝部３１５を用いて換気装置５０、５０Ｂを組み込むため、同じ複層ガラス３５を保持するために、保持片部３１４および凹溝部３１５間の見込み寸法が同じ障子であれば、同一種類の換気装置５０、５０Ｂを各種障子に組み込むことができ、換気装置５０、５０Ｂの種類も少なくできる。
また、換気装置５０、５０Ｂは、上框３１の下面に取り付けられるものに限定されず、下框３２の上面や、縦框３３、３４の内周面に取り付けることもできる。換気装置５０、５０Ｂは、ＦＩＸ窓の窓枠に取り付けることもできる。
さらに、換気装置５０、５０Ｂは、必要に応じて、１つの障子やＦＩＸ窓の窓枠において、複数のフレーム材に取り付けることができる。例えば、障子において、上框３１および下框３２にそれぞれ換気装置５０、５０Ｂを取り付けてもよく、建具枠の少なくとも一つのフレーム材に換気装置５０、５０Ｂを取り付ければ良い。
【００５５】
換気装置５０、５０Ｂは、前記実施形態の構成に限定されない。例えば、換気装置本体６０を、取付部６１と、面材保持部６２との２部材で構成し、これらの部材を、端部キャップ１００や、室外側アタッチメント７０、室内側アタッチメント８０を用いて連結する構成としてもよい。この場合、分離された取付部６１および面材保持部６２間の空間で通気部６５が構成される。
室内側アタッチメント８０の構成は、前記実施形態のものに限定されず、例えば、室内側作動板８２がスライド移動するものでもよく、通気部６５の室内側開口を開閉できるものであればよい。
【００５６】
換気装置本体６０の連結部６３は、１つの連結片のみで構成されるものでもよいし、３本以上の連結片を備えて構成されるものでもよい。
換気装置５０、５０Ｂを上框３１等に取り付ける構造としては、前記実施形態に限定されず、ネジ、リベット等の締結具や接着剤等を用いて取り付けてもよい。
カバー９０は前記実施形態の構成に限定されず、例えば、室内側アタッチメント８０のみをカバーする構成としてもよい。さらに、換気装置５０、５０Ｂの配置箇所が利用者から視認されにくい場所である場合には、カバー９０を設けなくても良い。
本発明は、框や枠を樹脂フレームで構成した建具に限定されず、框や枠をアルミ形材などの超音波などによる溶着が可能な金属フレームで構成した建具にも適用できる。
【００５７】
［発明のまとめ］
本発明の建具は、第１フレーム材と、前記第１フレーム材の各端部にそれぞれ溶着される第２フレーム材および第３フレーム材と、前記第２フレーム材および前記第３フレーム材に溶着される第４フレーム材とを有する建具枠と、前記第１フレーム材に取り付けられる換気装置と、前記第２フレーム材、前記第３フレーム材、前記第４フレーム材および前記換気装置に保持される面材と、前記第２フレーム材および前記第３フレーム材と前記換気装置との隙間を塞ぐカバー材と、を備え、前記第２フレーム材および前記第３フレーム材と前記換気装置とは、前記建具枠の見込み方向に沿って設けられた見込片部と、前記見込片部から見付け方向に突出して形成されて面材保持面を有する保持片部と、前記見込片部に連続して形成されて前記面材保持面との間に前記面材を保持する押縁が取り付けられる凹溝部とを備え、前記カバー材は、前記第２フレーム材および前記第３フレーム材の前記面材保持面と、前記換気装置とに跨がって配置されることを特徴とする。
本発明によれば、第２，３フレーム材の面材保持面と、換気装置とに跨がってカバー材が配置されるため、第２，３フレーム材と、換気装置の長手方向の端部との隙間をカバー材で塞ぐことができる。このため、建具の気密性や水密性を向上でき、光漏れも防止できる。さらに、隙間が塞がれるため、建具の意匠性も向上できる。
また、カバー材は、第２，３フレーム材と換気装置との間に挟まれて配置されるのではなく、第２，３フレーム材の面材保持面と、換気装置とに跨がって配置されるため、第２，３フレーム材および換気装置間に挟まれて潰されることがない。このため、接着剤塗布機のノズルとカバー材とが干渉することを防止でき、接着剤塗布機が停止したり、接着剤塗布作業をやり直す必要が無く、生産性の低下も防止できる。
【００５８】
本発明の建具において、前記換気装置は、長手方向の両端部にそれぞれ取り付けられる端部キャップを備え、前記端部キャップは、キャップ本体部と、前記キャップ本体部に一体に形成された軟質ヒレ部とを備え、前記カバー材は前記軟質ヒレ部で構成されることが好ましい。
換気装置の両端部に取り付けられる端部キャップを、キャップ本体部およびキャップ本体部に一体に形成された軟質ヒレ部とで構成し、軟質ヒレ部でカバー材を構成すれば、端部キャップが装着された換気装置を建具枠内に組む込むことで、換気装置から第２、３フレーム材の面材保持面に跨がって軟質ヒレ部を配置できる。このため、換気装置および第２、３フレーム材間に別体のスポンジを貼り付ける場合に比べて作業工数を減少でき、組立作業性を向上できる。
【００５９】
本発明の建具において、前記換気装置は、長手方向の両端部にそれぞれ取り付けられる端部キャップを備え、前記カバー材は、前記第２フレーム材および前記第３フレーム材の前記面材保持面と、前記端部キャップとに跨がって取り付けられるシート材で構成されるものでもよい。
カバー材を、端部キャップおよび第２，３フレーム材と別体のシート材で構成すれば、端部キャップに軟質ヒレ部を形成する必要が無く、従来の端部キャップを流用できる。また、別体のシート材を用いるため、シート材の材質や厚さ寸法を、建具の種類や求められる断熱性能などに応じて適宜選択できる。
【００６０】
本発明の建具において、前記第２フレーム材および前記第３フレーム材の前記面材保持面と、前記換気装置の前記面材保持面には、前記建具枠の内周面に沿って形成される突条部が形成され、前記第２フレーム材および前記第３フレーム材の前記突条部には切欠部が形成され、前記カバー材は前記切欠部に配置されることが好ましい。
第２，３フレーム材の突条部に切欠部を形成し、カバー材を切欠部に配置すれば、カバー材を突条部上に配置した場合に比べて、カバー材が面材保持面から突出する寸法を小さくでき、カバー材が接着剤塗布機のノズルに干渉することをより確実に防止できる。
【００６１】
本発明の建具において、前記第２フレーム材および前記第３フレーム材の前記凹溝部と、前記換気装置とに跨がって配置される第２カバー材を備えることが好ましい。
ここで、第２カバー材は、換気装置が備える端部キャップに一体に形成された軟質ヒレ部で構成してもよい。また、第２カバー材は、前記第２フレーム材および前記第３フレーム材の前記凹溝部と、前記換気装置とに跨がって取り付けられるシート材で構成してもよい。
換気装置と、第２フレーム材や第３フレーム材の面材保持面側との隙間を塞ぐカバー材に加えて、換気装置と、第２フレーム材や第３フレーム材の凹溝部側つまり面材保持面とは見込方向において反対側となる部分との隙間を塞ぐ第２カバー材を配置すれば、換気装置と第２、３フレーム材との隙間を２つのカバー材で塞ぐことができ、気密性や水密性をさらに向上できる。
【００６２】
本発明の建具は、第１フレーム材と、前記第１フレーム材の各端部にそれぞれ溶着される第２フレーム材および第３フレーム材と、前記第２フレーム材および前記第３フレーム材に溶着される第４フレーム材とを有する建具枠と、前記第１フレーム材に取り付けられる換気装置と、前記第２フレーム材、前記第３フレーム材、前記第４フレーム材および前記換気装置に保持される面材と、前記第２フレーム材および前記第３フレーム材と前記換気装置との隙間を塞ぐカバー材と、を備え、前記第２フレーム材および前記第３フレーム材と前記換気装置とは、前記建具枠の見込み方向に沿って設けられた見込片部と、前記見込片部から見付け方向に突出して形成されて面材保持面を有する保持片部と、前記見込片部に連続して形成されて前記面材保持面との間に前記面材を保持する押縁が取り付けられる凹溝部とを備え、前記第２フレーム材および前記第３フレーム材の前記保持片部は、前記カバー材が当接する当接面を有し、前記カバー材は、前記換気装置に設けられ、その先端部が前記第２フレーム材および前記第３フレーム材の前記当接面に当接するヒレ部を備えて構成されることを特徴とする。
本発明によれば、カバー材のヒレ部は、第２フレーム材および第３フレーム材の当接面に当接する。この際、ヒレ部の突出寸法を適宜調整することで、ヒレ部の先端が当接面に当接して折曲された場合でも、折曲されたヒレ部の先端が、各フレーム材の保持片部の面材保持面側つまり押縁側の端縁から突出しないように設定したり、突出した場合でも突出量が僅かな寸法とし、接着剤塗布機のノズルと当接しない寸法に設定することができる。このため、換気装置と各フレーム材との間でスポンジを圧縮する場合に比較すると、ヒレ部の先端側の突出寸法を設定しやすく、接着剤塗布機のノズルにカバー材が当接することを防止できる。
【００６３】
本発明の建具において、前記カバー材は、前記ヒレ部と、第２ヒレ部とを備え、前記ヒレ部は、見込み方向の位置が、前記第２ヒレ部と前記凹溝部との間に配置され、前記第２ヒレ部は、前記当接面に向かう突出寸法が前記ヒレ部よりも短いことが好ましい。
本発明の建具によれば、カバー材が、ヒレ部と、第２ヒレ部とを備え、第２ヒレ部と、凹溝部つまり押縁との間にヒレ部を配置しているので、ヒレ部を第２ヒレ部で隠すことができる。このため、ヒレ部の先端が当接面に当接して折曲された場合でもヒレ部が建具表面側に露出することを防止でき、建具の外観意匠を向上できる。
【００６４】
本発明の建具において、前記保持片部は前記見込片部の室内側または室外側の一方の端部から突出して形成され、前記凹溝部は前記見込片部の他方の端部に形成され、前記換気装置は、前記第２フレーム材および前記第３フレーム材の前記他方の端部と、前記換気装置との隙間を塞ぐ第２カバー材を備えることが好ましい。
本発明の建具によれば、第２カバー材を設けたことにより、建具の室内側または室外側の一方と換気装置との隙間は前記カバー材で塞ぐことができ、他方と換気装置との隙間は前記第２カバー材で塞ぐことができ、建具の室内側および室外側の意匠を向上できる。
【符号の説明】
【００６５】
１、１Ｂ…引違い窓、３Ａ…外障子、３Ｂ…内障子、３０…建具枠である障子枠、３１…第１フレーム材である上框、３２…第４フレーム材である下框、３３…第２フレーム材である縦框、３４…第３フレーム材である縦框、３５…面材である複層ガラス、４０…押縁、４５…接着剤、５０、５０Ｂ…換気装置、６０…換気装置本体、６１…取付部、６２…面材保持部、６３…連結部、６５…通気部、７０…室外側アタッチメント、７１…アタッチメント本体、７２…室外側作動板、７３…ネジ、７５…室外側連結部材、８０…室内側アタッチメント、８１…アタッチメント本体、８２…室内側作動板、８３…端部部材、８４…ガイド部材、８５…操作ツマミ、８６…ツマミカバー、８７…ネジ、９０…カバー、１００、１００Ｂ…端部キャップ、１０２、１０２Ｂ…キャップ本体部、１０３、１０３Ｂ…ベース部、１０４、１０４Ｂ…スペーサー部、１０５…軟質ヒレ部、１０６、１０６Ｂ…シーラー、１０７、１０７Ｂ…キャップシーラー、１０８…凹溝部、１１５…カバー材、１１６…固定部、１１７…ヒレ部、１１８…第２ヒレ部、３１４…保持片部、３１４Ａ…突条部、３１４Ｂ…切欠部、３１５…凹溝部、３１６…見込片部、３１９…面材保持面、６２２…室内側中空部、６２４…保持片部、６２４Ａ…突条部、６２５…凹溝部、６２９…面材保持面、６３０…見込片部、９００…ノズル。
【図１】
2020076296.tif 000003
【図２】
2020076296.tif 000004
【図３】
2020076296.tif 000005
【図４】
2020076296.tif 000006
【図５】
2020076296.tif 000007
【図６】
2020076296.tif 000008
【図７】
2020076296.tif 000009
【図８】
2020076296.tif 000010
【図９】
2020076296.tif 000011
【図１０】
2020076296.tif 000012
【図１１】
2020076296.tif 000013
【図１２】
2020076296.tif 000014
【図１３】
2020076296.tif 000015